【手続補正書】
【提出日】平成18年3月14日(2006.3.14)
【手続補正１】
【補正対象書類名】明細書
【補正対象項目名】発明の名称
【補正方法】変更
【補正の内容】
【発明の名称】電子会議システム、アクセスポイント及び表示装置
【手続補正２】
【補正対象書類名】明細書
【補正対象項目名】特許請求の範囲
【補正方法】変更
【補正の内容】
【特許請求の範囲】
【請求項１】  アクセスポイントに接続するコンピュータと、電源のオン・オフを切り替える電源スイッチ、及び前記コンピュータのビデオ信号を表示する表示手段を備えるディスプレイとからなる電子会議システムにおいて、
前記ディスプレイは、
前記電源スイッチによる電源オンの切り替えを検出したときに、前記アクセスポイントに第１の起動指示を送付する第１起動指示送付手段を備え、
前記アクセスポイントは、
前記第１の起動指示を受信したときに、前記コンピュータに第２の起動指示を送付する第２起動指示送付手段を備えることを特徴とする電子会議システム。
【請求項２】  情報処理装置からの信号を検出したときに当該信号を表示する表示装置と、前記情報処理装置及び前記表示装置と通信可能なアクセスポイントとを有する電子会議システムにおいて、
前記表示装置は、前記アクセスポイントに第１の起動指示信号を送信する第１の送信手段を有し、
前記アクセスポイントは、
前記第１の起動指示信号の検出に応じて、前記アクセスポイントの一部にのみ供給されている電源をその各部に供給する第１の起動処理を開始する第１の起動開始手段と、
前記第１の起動処理の際に、前記情報処理装置に第２の起動指示信号を送信する第２の送信手段とを有し、
前記情報処理装置は、
前記第２の起動指示信号の検出に応じて、前記情報処理装置への供給電源をスタンバイ電源からメイン電源に切り替える第２の起動処理を開始する第２の起動開始手段とを有することを特徴とする電子会議システム。
【請求項３】  前記表示装置は、前記表示装置の電源のオン・オフを切り替えるスイッチ手段をさらに備え、
前記第１の送信手段は、前記スイッチ手段による電源オンの切り替えに応じて、前記第１の起動指示信号の送信を行うことを特徴とする請求項２記載の電子会議システム。
【請求項４】  前記表示装置は、前記スイッチ手段による電源オンの切り替えを検出してから第１の時間が経過するまでの間に、前記情報処理装置からの信号が検出されなかったときに、エラーメッセージを表示する第１の表示手段をさらに有することを特徴とする請求項３記載の電子会議システム。
【請求項５】  前記表示装置は、前記アクセスポイントに第１の遮断指示信号を送信する第３の送信手段を有し、
前記アクセスポイントは、
前記第１の遮断指示信号の検出したときに、前記アクセスポイントの各部に供給されている電源をその一部にのみ供給する第１の遮断処理を開始する第１の遮断開始手段と、
前記第１の遮断処理の際に、前記情報処理装置に第２の遮断指示信号を送信する第３の送信手段とを有し、
前記情報処理装置は、
前記第２の遮断指示信号の検出に応じて、前記供給電源を前記メイン電源から前記スタンバイ電源に切り替える第２の遮断処理を開始する第２の遮断開始手段とを有することを特徴とする請求項２乃至４のいずれか１項に記載の電子会議システム。
【請求項６】  前記表示装置は、前記表示装置の電源のオン・オフを切り替える他のスイッチ手段をさらに備え、
前記第３の送信手段は、前記他のスイッチ手段による電源オフの切り替えの検出に応じて、前記第１の遮断指示信号の送信を行うことを特徴とする請求項５記載の電子会議システム。
【請求項７】  前記表示装置は、前記他のスイッチ手段による電源オフの切り替えを検出してから第２の時間が経過した後に、前記情報処理装置からの信号が検出されたときに、エラーメッセージを表示する第２の表示手段を有することを特徴とする請求項６記載の電子会議システム。
【請求項８】  前記表示装置は、前記情報処理装置からの信号が検出されなかったときに、前記表示装置を電源オフに切り替えることを特徴とする請求項７記載の電子会議システム。
【請求項９】  前記表示装置と前記アクセスポイントとは、無線により通信することを特徴とする請求項２乃至８のいずれか１項に記載の電子会議システム。
【請求項１０】  情報処理装置及び前記情報処理装置からの信号を表示する表示装置と通信可能なアクセスポイントにおいて、
前記アクセスポイントは、
前記表示装置の電源制御に応じて送信された第１の起動指示信号の検出に応じて、前記アクセスポイントの一部にのみ供給されている電源をその各部に供給する第１の起動処理を開始する第１の起動開始手段と、
前記第１の起動処理の際に、前記情報処理装置に第２の起動指示信号を送信する第１の送信手段とを有することを特徴とするアクセスポイント。
【請求項１１】  前記表示装置は、その電源制御に応じて前記アクセスポイントに第１の遮断指示信号を送信する第２の送信手段を有し、
前記アクセスポイントは、
前記第１の遮断指示信号の検出に応じて、前記アクセスポイントの各部に供給されている電源をその一部にのみ供給する第１の遮断処理を開始する第１の遮断開始手段と、
前記第１の遮断処理の際に、前記情報処理装置に第２の遮断指示信号を送信する第３の送信手段とを有することを特徴とするアクセスポイント。
【請求項１２】  アクセスポイントを介して送信された情報処理装置からの信号を表示する表示装置において、
前記表示装置の電源のオン・オフを切り替えるスイッチ手段と、
前記スイッチ手段による切り替えに応じて、電源制御信号を前記アクセスポイントに送信する送信手段と、
前記送信手段により前記電源制御信号を送信してから一の時間経過後の前記情報処理装置からの信号の検出状態に応じて、エラーメッセージを表示する表示手段とを有することを特徴とする表示装置。
【請求項１３】  前記表示装置の電源のオン・オフを切り替える他のスイッチ手段と、
前記他のスイッチ手段による切り替えに応じて、他の電源制御信号を前記アクセスポイントに送信する送信手段と、
前記送信手段により前記電源制御信号を送信してから他の時間経過後の前記情報処理装置からの信号の検出状態に応じて、前記表示装置の電源制御を行う制御手段とを有することを特徴とする請求項１２記載の表示装置。
【手続補正３】
【補正対象書類名】明細書
【補正対象項目名】０００１
【補正方法】変更
【補正の内容】
【０００１】
【発明の属する技術分野】
本発明は、電子会議システム、アクセスポイント及び表示装置に関し、特に、ディスプレイ、アクセスポイント、及びパーソナルコンピュータから構成されると共に、これら機器の電源の制御が行われる電子会議システム、アクセスポイント及び表示装置に関する。
【手続補正４】
【補正対象書類名】明細書
【補正対象項目名】０００８
【補正方法】変更
【補正の内容】
【０００８】
本発明の目的は、ユーザの１操作で、電子会議システムを構成するディスプレイ、アクセスポイント及びコンピュータの各電源の制御を連動させて制御できるようにすることにある。
【手続補正５】
【補正対象書類名】明細書
【補正対象項目名】０００９
【補正方法】変更
【補正の内容】
【０００９】
【課題を解決するための手段】
上記目的を達成するために、請求項１の電子会議システムは、アクセスポイントに接続するコンピュータと、電源のオン・オフを切り替える電源スイッチ、及び前記コンピュータのビデオ信号を表示する表示手段を備えるディスプレイとからなる電子会議システムにおいて、前記ディスプレイは、前記電源スイッチによる電源オンの切り替えを検出したときに、前記アクセスポイントに第１の起動指示を送付する第１起動指示送付手段を備え、前記アクセスポイントは、前記第１の起動指示を受信したときに、前記コンピュータに第２の起動指示を送付する第２起動指示送付手段を備えることを特徴とする。
また、情報処理装置からの信号を検出したときに当該信号を表示する表示装置と、前記情報処理装置及び前記表示装置と通信可能なアクセスポイントとを有する電子会議システムにおいて、
前記表示装置は、前記アクセスポイントに第１の起動指示信号を送信する第１の送信手段を有し、
前記アクセスポイントは、
前記第１の起動指示信号の検出に応じて、前記アクセスポイントの一部にのみ供給されている電源をその各部に供給する第１の起動処理を開始する第１の起動開始手段と、前記第１の起動処理の際に、前記情報処理装置に第２の起動指示信号を送信する第２の送信手段とを有し、前記情報処理装置は、前記第２の起動指示信号の検出に応じて、前記情報処理装置への供給電源をスタンバイ電源からメイン電源に切り替える第２の起動処理を開始する第２の起動開始手段とを有することを特徴とする。
また、情報処理装置及び情報処理装置からの信号を表示する表示装置と通信可能なアクセスポイントにおいて、前記アクセスポイントは、前記表示装置の電源制御に応じて送信された第１の起動指示信号の検出に応じて、前記アクセスポイントの一部にのみ供給されている電源をその各部に供給する第１の起動処理を開始する第１の起動開始手段と、前記第１の起動処理の際に、前記情報処理装置に第２の起動指示信号を送信する第１の送信手段とを有することを特徴とする。
また、アクセスポイントを介して送信された情報処理装置からの信号を表示する表示装置において、前記表示装置の電源のオン・オフを切り替えるスイッチ手段と、前記スイッチ手段による切り替えに応じて、電源制御信号を前記アクセスポイントに送信する送信手段と、前記送信手段により前記電源制御信号を送信してから一の時間経過後の前記情報処理装置からの信号の検出状態に応じて、エラーメッセージを表示する表示手段とを有することを特徴とする。
【手続補正６】
【補正対象書類名】明細書
【補正対象項目名】０１４０
【補正方法】変更
【補正の内容】
【０１４０】
〔実施態様１１〕  実施態様９又は１０記載のプログラムを格納するコンピュータ読取り可能な記憶媒体
以上詳細に説明したように、ディスプレイは、ディスプレイの電源スイッチによる電源オンの切り替えを検出したときに、アクセスポイントに第１の起動指示を送付し、アクセスポイントは、この第１の起動指示を受信したときに、コンピュータに第２の起動指示を送付するので、ユーザの１操作で、電子会議システムを構成するディスプレイ、アクセスポイント及びコンピュータの各電源の起動を連動させて制御できる。
【手続補正７】
【補正対象書類名】明細書
【補正対象項目名】０１４１
【補正方法】変更
【補正の内容】
【０１４１】
【発明の効果】
本発明によれば、電子会議システムを構成する表示装置、アクセスポイント及び情報処理装置の各電源の起動を連動させて制御できる。